【事件の表示】
　特許第４３３６７５０号に関する訂正審判事件について、次のとおり審決する。
【結　論】
　特許第４３３６７５０号に係る明細書、特許請求の範囲を本件審判請求書に添付された明細書、訂正特許請求の範囲のとおり訂正することを認める。
【理　由】
　
第１　手続きの経緯
　
　本件訂正審判の請求に係る特許第４３３６７５０号（以下、「本件特許」という。）は、平成１４年１１月２１日（優先権主張：平成１３年１１月２１日　米国）を国際出願日とする出願であって、平成２１年７月１０日に特許権の設定登録がなされ、その後、本件特許に対して、平成２６年３月１２日に請求項ごとに訂正することを求める旨の訂正審判の請求がなされ（訂正２０１４−３９００４９号）、同年５月１６日に訂正を認める旨の審決がされ、同年６月３日に確定登録がなされたものであり、その後、同年１０月１７日に本件審判の請求がなされたものである。
　
第２　請求の趣旨
　本件審判の請求の趣旨は、本件特許の願書に添付した明細書（以下、「本件特許明細書」という。）、特許請求の範囲を、本件審判請求書に添付された明細書、訂正特許請求の範囲のとおり請求項ごとにまたは一群の請求項ごとに訂正することを認める、との審決を求めるものである。
　
第３　訂正の内容
  平成２６年１０月１７日付けの本件訂正審判の請求に係る訂正（以下、「本件訂正」という。）の内容は、以下のとおりのものである（下線は訂正箇所を示す。）。 
　
１　訂正事項１
　特許請求の範囲の請求項１
「【請求項１】
  個人の体腔の開口部から排出物を集めるのに適した器具において、
  底部、上部、後壁および前壁を有すると共に、前記リザーバの内部に通じる２以上の開口部を含むリザーバを備え、
  少なくとも１つの前記開口部は、医療または診断機器とのみ接続すると共に、少なくとも１つの前記開口部は、前記体腔とのみ接続し、前記体腔から排出された排出物は、リザーバの中に入り、接続された前記医療または診断機器から排出されたガスは、前記体腔に入る前に前記リザーバの内部を経由して、排出物と反対方向に通過することを特徴とする器具。」
を
「【請求項１】
　
ＣＴ撮影用の排出物集積器具であって、
　
前記排出物集積器具は、二酸化炭素ガス自動吹き込み装置に接続され、
であり
ここで、前記体腔の開口部は、肛門括約筋であり、
　
前記排出物集積器具は、
排出物
　少なくとも１つの前記開口部は、
前記二酸化炭素ガス自動吹き込み装置
二酸化炭素ガス自動吹き込み装置
二酸化炭素
と訂正する。
　
２　訂正事項２
  特許請求の範囲の請求項２を削除する。
　
３　訂正事項３
　特許請求の範囲の請求項３を削除する。
　
４　訂正事項４
　特許請求の範囲の請求項４を削除する。
　
５　訂正事項５
　特許請求の範囲の請求項５を削除する。
　
６　訂正事項６
　特許請求の範囲の請求項６
「【請求項６】
　診断前あるいは診断中に個人の結腸を膨らませる使用に適した器具において、
  （ｉ）近端と末端を有する第１導管と、
  （ｉｉ）診断前あるいは診断中に個人の結腸から排出物を集めるのに適したリザーバであって、前記リザーバの内部は、前記第１導管の前記末端と接続され、前記個人の肛門を通過する排出物を、前記リザーバ内に集められるようにしたリザーバと、
  （ｉｉｉ）個人の肛門からの排出物の排出と吹込み装置から個人の肛門へのガスの導入の両方を許容する、個人の肛門への挿入に適した挿入可能部材であって、その挿入可能部材は前部と後部を有し、その前部から後部に伸びる単一のチャネルを有し、その後部は、前記第１導管の前記近端と接続される挿入可能部材と、
  （ｉｖ）近端および末端を有する第２導管であって、前記近端は、前記リザーバの内部に接続され、前記末端は、前記吹き込み装置との接続に適合し、前記吹込み装置から排出されたガスが、前記吹き込み装置から前記第２導管へと通り、前記リザーバの内部と、前記第１導管と、前記挿入可能部材とを通過して前記個人の肛門に入るようになっていて、個人の肛門から排出される排出物が前記挿入可能部材および第１導管を通じて前記リザーバに入り、前記吹き込み装置からのガスが診断前あるいは診断中に前記リザーバを経由して通過する第２導管と、
  （ｖ）前記第２の導管に配置された１以上のバリアであって、診断前あるいは診断中に排出物が前記吹き込み装置に接触するのを防ぐのに適したバリアと、を備えることを特徴とする器具。」
を
「【請求項６】
　
ＣＴ撮影用の排出物集積器具であって、
　
前記排出物集積器具は、二酸化炭素ガス自動吹き込み装置に接続され、
であり
　
前記排出物集積器具は、
　（ｉ）近端と末端を有する第１導管と、
  （ｉｉ）診断前あるいは診断中に個人の結腸から排出物を集めるのに適したリザーバであって、前記リザーバの内部は、前記第１導管の前記末端と接続され、前記個人の肛門を通過する排出物を、前記リザーバ内に集められるようにしたリザーバと、
  （ｉｉｉ）個人の肛門からの排出物の排出と
前記二酸化炭素ガス自動
二酸化炭素
  （ｉｖ）近端および末端を有する第２導管であって、前記近端は、前記リザーバの内部に接続され、前記末端は、前記
二酸化炭素ガス自動
二酸化炭素ガス自動
二酸化炭素
二酸化炭素ガス自動
二酸化炭素ガス自動
二酸化炭素
  （ｖ）前記第２の導管に配置された１以上のバリアであって、診断前あるいは診断中に排出物が前記
二酸化炭素ガス自動
と訂正する。
　
７　訂正事項７
　特許請求の範囲の請求項１４
「【請求項１４】
体腔へのガス媒体の投与を含む医療または診断手続きの間または後に、個人の内部体腔から排出物を集めるための器具において、
  底部、上部、後壁および前壁を有するリザーバであって、前記リザーバは、前記リザーバの内部に通じる２以上の開口部を有し、
  前記リザーバは、吹き込み装置との接続を形成するための少なくとも１つの接続コンポーネントおよび挿入可能部材との接続を形成するための少なくとも１つの接続コンポーネントを有し、ガスが前記体腔へ投与可能な構造となり、同時に、前記リザーバ内の排出物を収集し、投与されたガスが前記体腔に入る前に前記リザーバの内部を経由して、前記リザーバの中に収集されている排出物とは反対方向に向かって通過するように、前記リザーバは、前記吹き込み装置と前記体腔との間に位置する構成となることを特徴とする器具。」
を
「【請求項１４】
　
ＣＴ撮影用の排出物集積器具であって、
　
前記排出物集積器具は、二酸化炭素ガス自動吹き込み装置に接続され、
　
前記排出物集積器具は、
二酸化炭素
ＣＴ撮影
体腔の開口部を通して
であり
ここで、前記体腔の開口部は、肛門括約筋であり、
  
前記排出物集積器具は、
排出物
を備え
　
　
前記二酸化炭素ガス自動
二酸化炭素
る二酸化炭素
二酸化炭素ガス自動
と訂正する。
　
８　訂正事項８
　特許請求の範囲の請求項８
　「【請求項２５】
  医療または診断機器として連動して使用するための器具において、
  近端と末端を有する第１導管と、前部と後部を有する単一ルーメン挿入可能部材とを備え、
  前記挿入可能部材の後部は、前記第１導管の近端に配置され、前記前部は、体腔開口部に挿入可能であり、前記挿入可能部材の前記後部の近くに配置されたクランプと、前記体腔からの排出物を集めるための排出物リザーバと、近端および末端を有し、その面に配置される少なくとも１つの疎水性のバリアを有する第２導管と、ガスを投与するのに適した医療または診断機器に前記第２導管の前記末端を接続するための少なくとも１つの接続コンポーネント、および前記リザーバに前記第２導管の前記近端を接続するための少なくとも１つの接続コンポーネントとを備え、
  前記挿入可能部材、前記第１導管、前記リザーバおよび前記第２導管は、前記体腔から排出される排出物が前記挿入可能部材、第１導管を通じて前記リザーバに入り、接続された前記吹き込み装置から排出されたガスは、前記吹き込み装置から、第２導管、前記リザーバの内部、第１導管、前記挿入可能部材を通じて前記体腔に入る構成であることを特徴とする器具。」
を
「【請求項２５】
　
ＣＴ撮影用の排出物集積器具であって、
　
前記排出物集積器具は、二酸化炭素ガス自動吹き込み装置
であり、
　
前記排出物集積器具は、体腔から前記体腔の開口部を通して排出物を集めるための器具であり
ここで、前記体腔の開口部は、肛門括約筋であり、
　前記排出物集積器具は、
　
　
とを備え、
　ここで、
　前記排出物集積器具は、
　
　
　
　二酸化炭素
前記二酸化炭素ガス自動吹き込み装置
、
　
とを備え、
　
二酸化炭素ガス自動
前記二酸化炭素
二酸化炭素ガス自動
と訂正する。
　
９　訂正事項９
　特許請求の範囲の請求項３３
「【請求項３３】
  自動または手動吹き込みユニットと共に使用するためのキットにおいて、
  約８フィートのビニールチュービングと、エラストマー風船を膨張させるための１つまたは複数の風船膨張器と、１つまたは複数のプラスチックチュービングクランプと、１つまたは複数の浣腸先端を備える単一ルーメン挿入可能部材と、１つまたは複数のシリコーンエラストマー風船と、１つまたは複数の０．１マクロメートル疎水性フィルタと、少なくとも１つの排出物リザーバと、接続された際に、体腔から排出された排出物が、前記挿入可能部材を通り、次にビニールチュービングの第１区域を通って前記リザーバに入り、前記吹き込みユニットから排出されたガスが前記体腔に入る前に、前記リザーバの内部を通過するように前記ビニールチュービングを自動吹き込みユニットに接続するための１つまたは複数のチュービングコネクタとを含むことを特徴とするキット。」
を
「【請求項３３】
　
ＣＴ撮影用の排出物集積のためのキットであって、
　
前記キットは、二酸化炭素ガス
であり
  約８フィートのビニールチュービングと、エラストマー風船を膨張させるための１つまたは複数の風船膨張器と、１つまたは複数のプラスチックチュービングクランプと、１つまたは複数の浣腸先端を備える単一ルーメン挿入可能部材と、１つまたは複数のシリコーンエラストマー風船と、１つまたは複数の０．１マ
イ
二酸化炭素ガス自動
二酸化炭素
前記二酸化炭素ガス
と訂正する。
　
１０　訂正事項１０
　特許請求の範囲の請求項３４
「【請求項３４】
　意図されない前記器具の操作、あるいは前記リザーバの前記挿入可能部材または吹き込み装置への不適切な接続を検出し得るようにした圧力センサをさらに備えることを特徴とする以下のいずれかの器具；
　（１）請求項１に記載の器具；
　（２）請求項６に記載の器具；
　（３）体腔から前記体腔の開口部を通して排出物を集めるための器具において、
 　上端および下端を有する固体で膨張しない構造の、伸びた中空の挿入可能部材であって、前記上端は、上開口部を含み、前記下端は、下開口部を有し、前記上開口部および下開口部は、前記上開口部から前記下開口部への排出物の通過および前記下開口部から前記上開口部への吹き込み装置からのガスの導入に十分な断面の中空領域を有するチャネル（流路）を介して動作可能に結合されている挿入可能部材と、
 　前記上開口部に近接した前記挿入可能部材の前記上端に固定され、これを囲んだ環状の拡張可能部材であって、前記拡張可能部材は、外向きに拡張し、前記挿入可能部材の周囲を前記上開口部に近接して囲み、前記体腔の開口部を密閉して、排出物が中空の挿入可能部材のみを通して前記体腔から外へ出るように構成され、前記拡張可能部材が前記体腔の開口部内に配置された後にこれを膨張させるための膨張導管を含む拡張可能部材と、
 　排出物が前記体腔から前記挿入可能部材を通じて前記リザーバに入り、診断の前あるいは診断中に吹き込み装置からのガスが前記リザーバを経由して通り前記体腔に入るように前記挿入可能部材の下端および吹き込み装置の両方に固定されると共に前記挿入可能部材と前記吹き込み装置の間に配置された排出物リザーバと、を含むことを特徴とする器具；または
 （４）請求項１４に記載の器具。 」
を
「【請求項３４】
　意図されない前記器具の操作、あるいは前記リザーバの前記挿入可能部材または吹き込み装置への不適切な接続を検出し得るようにした圧力センサをさらに備えることを特徴とする以下のいずれかの器具；
（１）
個人の体腔の開口部から排出物を集めるのに適した器具において、  底部、上部、後壁および前壁を有すると共に、前記リザーバの内部に通じる２以上の開口部を含むリザーバを備え、
少なくとも１つの前記開口部は、医療または診断機器とのみ接続すると共に、少なくとも１つの前記開口部は、前記体腔とのみ接続し、前記体腔から排出された排出物は、リザーバの中に入り、接続された前記医療または診断機器から排出されたガスは、前記体腔に入る前に前記リザーバの内部を経由して、排出物と反対方向に通過することを特徴とする
（２）
診断前あるいは診断中に個人の結腸を膨らませる使用に適した器具において、
（ｉ）近端と末端を有する第１導管と、
（ｉｉ）診断前あるいは診断中に個人の結腸から排出物を集めるのに適したリザーバであって、前記リザーバの内部は、前記第１導管の前記末端と接続され、前記個人の肛門を通過する排出物を、前記リザーバ内に集められるようにしたリザーバと、
（ｉｉｉ）個人の肛門からの排出物の排出と吹込み装置から個人の肛門へのガスの導入の両方を許容する、個人の肛門への挿入に適した挿入可能部材であって、その挿入可能部材は前部と後部を有し、その前部から後部に伸びる単一のチャネルを有し、その後部は、前記第１導管の前記近端と接続される挿入可能部材と、
（ｉｖ）近端および末端を有する第２導管であって、前記近端は、前記リザーバの内部に接続され、前記末端は、前記吹き込み装置との接続に適合し、前記吹込み装置から排出されたガスが、前記吹き込み装置から前記第２導管へと通り、前記リザーバの内部と、前記第１導管と、前記挿入可能部材とを通過して前記個人の肛門に入るようになっていて、個人の肛門から排出される排出物が前記挿入可能部材および第１導管を通じて前記リザーバに入り、前記吹き込み装置からのガスが診断前あるいは診断中に前記リザーバを経由して通過する第２導管と、
（ｖ）前記第２の導管に配置された１以上のバリアであって、診断前あるいは診断中に排出物が前記吹き込み装置に接触するのを防ぐのに適したバリアと、を備えることを特徴とする
（３）体腔から前記体腔の開口部を通して排出物を集めるための器具において、
上端および下端を有する固体で膨張しない構造の、伸びた中空の挿入可能部材であって、前記上端は、上開口部を含み、前記下端は、下開口部を有し、前記上開口部および下開口部は、前記上開口部から前記下開口部への排出物の通過および前記下開口部から前記上開口部への吹き込み装置からのガスの導入に十分な断面の中空領域を有するチャネル（流路）を介して動作可能に結合されている挿入可能部材と、
前記上開口部に近接した前記挿入可能部材の前記上端に固定され、これを囲んだ環状の拡張可能部材であって、前記拡張可能部材は、外向きに拡張し、前記挿入可能部材の周囲を前記上開口部に近接して囲み、前記体腔の開口部を密閉して、排出物が中空の挿入可能部材のみを通して前記体腔から外へ出るように構成され、前記拡張可能部材が前記体腔の開口部内に配置された後にこれを膨張させるための膨張導管を含む拡張可能部材と、　 
排出物が前記体腔から前記挿入可能部材を通じて前記リザーバに入り、診断の前あるいは診断中に吹き込み装置からのガスが前記リザーバを経由して通り前記体腔に入るように前記挿入可能部材の下端および吹き込み装置の両方に固定されると共に前記挿入可能部材と前記吹き込み装置の間に配置された排出物リザーバと、を含むことを特徴とする器具；または
（４）
体腔へのガス媒体の投与を含む医療または診断手続きの間または後に、個人の内部体腔から排出物を集めるための器具において、底部、上部、後壁および前壁を有するリザーバであって、前記リザーバは、前記リザーバの内部に通じる２以上の開口部を有し、
前記リザーバは、吹き込み装置との接続を形成するための少なくとも１つの接続コンポーネントおよび挿入可能部材との接続を形成するための少なくとも１つの接続コンポーネントを有し、ガスが前記体腔へ投与可能な構造となり、同時に、前記リザーバ内の排出物を収集し、投与されたガスが前記体腔に入る前に前記リザーバの内部を経由して、前記リザーバの中に収集されている排出物とは反対方向に向かって通過するように、前記リザーバは、前記吹き込み装置と前記体腔との間に位置する構成となることを特徴とする
と訂正する。
　
１１　訂正事項１１
　特許請求の範囲の請求項３５
「【請求項３５】
前記吹き込み装置と前記１つまたは複数のバリアとの間に位置するセンサをさらに備え、前記センサは、流体を検出し得るように適合されることを特徴とする以下のいずれかの器具；
　（１）請求項１に記載の器具；
　（２）請求項６に記載の器具；
　（３）体腔から前記体腔の開口部を通して排出物を集めるための器具において、
　上端および下端を有する固体で膨張しない構造の、伸びた中空の挿入可能部材であって、前記上端は、上開口部を含み、前記下端は、下開口部を有し、前記上開口部および下開口部は、前記上開口部から前記下開口部への排出物の通過および前記下開口部から前記上開口部への吹き込み装置からのガスの導入に十分な断面の中空領域を有するチャネル（流路）を介して動作可能に結合されている挿入可能部材と、
　前記上開口部に近接した前記挿入可能部材の前記上端に固定され、これを囲んだ環状の拡張可能部材であって、前記拡張可能部材は、外向きに拡張し、前記挿入可能部材の周囲を前記上開口部に近接して囲み、前記体腔の開口部を密閉して、排出物が中空の挿入可能部材のみを通して前記体腔から外へ出るように構成され、前記拡張可能部材が前記体腔の開口部内に配置された後にこれを　膨張させるための膨張導管を含む拡張可能部材と、
　排出物が前記体腔から前記挿入可能部材を通じて前記リザーバに入り、診断の前あるいは診断中に吹き込み装置からのガスが前記リザーバを経由して通り前記体腔に入るように前記挿入可能部材の下端および吹き込み装置の両方に固定されると共に前記挿入可能部材と前記吹き込み装置の間に配置された排出物リザーバと、を含むことを特徴とする器具；または
　（４）請求項１４に記載の器具。」 
を
「【請求項３５】
前記吹き込み装置と前記１つまたは複数のバリアとの間に位置するセンサをさらに備え、前記センサは、流体を検出し得るように適合されることを特徴とする以下のいずれかの器具；
（１）
個人の体腔の開口部から排出物を集めるのに適した器具において、
底部、上部、後壁および前壁を有すると共に、前記リザーバの内部に通じる２以上の開口部を含むリザーバを備え、
少なくとも１つの前記開口部は、医療または診断機器とのみ接続すると共に、少なくとも１つの前記開口部は、前記体腔とのみ接続し、前記体腔から排出された排出物は、リザーバの中に入り、接続された前記医療または診断機器から排出されたガスは、前記体腔に入る前に前記リザーバの内部を経由して、排出物と反対方向に通過することを特徴とする
（２）
診断前あるいは診断中に個人の結腸を膨らませる使用に適した器具において、
（ｉ）近端と末端を有する第１導管と、
（ｉｉ）診断前あるいは診断中に個人の結腸から排出物を集めるのに適したリザーバであって、前記リザーバの内部は、前記第１導管の前記末端と接続され、前記個人の肛門を通過する排出物を、前記リザーバ内に集められるようにしたリザーバと、
（ｉｉｉ）個人の肛門からの排出物の排出と吹込み装置から個人の肛門へのガスの導入の両方を許容する、個人の肛門への挿入に適した挿入可能部材であって、その挿入可能部材は前部と後部を有し、その前部から後部に伸びる単一のチャネルを有し、その後部は、前記第１導管の前記近端と接続される挿入可能部材と、
（ｉｖ）近端および末端を有する第２導管であって、前記近端は、前記リザーバの内部に接続され、前記末端は、前記吹き込み装置との接続に適合し、前記吹込み装置から排出されたガスが、前記吹き込み装置から前記第２導管へと通り、前記リザーバの内部と、前記第１導管と、前記挿入可能部材とを通過して前記個人の肛門に入るようになっていて、個人の肛門から排出される排出物が前記挿入可能部材および第１導管を通じて前記リザーバに入り、前記吹き込み装置からのガスが診断前あるいは診断中に前記リザーバを経由して通過する第２導管と、
（ｖ）前記第２の導管に配置された１以上のバリアであって、診断前あるいは診断中に排出物が前記吹き込み装置に接触するのを防ぐのに適したバリアと、を備えることを特徴とする
（３）体腔から前記体腔の開口部を通して排出物を集めるための器具において、　 
上端および下端を有する固体で膨張しない構造の、伸びた中空の挿入可能部材であって、前記上端は、上開口部を含み、前記下端は、下開口部を有し、前記上開口部および下開口部は、前記上開口部から前記下開口部への排出物の通過および前記下開口部から前記上開口部への吹き込み装置からのガスの導入に十分な断面の中空領域を有するチャネル（流路）を介して動作可能に結合されている挿入可能部材と、
前記上開口部に近接した前記挿入可能部材の前記上端に固定され、これを囲んだ環状の拡張可能部材であって、前記拡張可能部材は、外向きに拡張し、前記挿入可能部材の周囲を前記上開口部に近接して囲み、前記体腔の開口部を密閉して、排出物が中空の挿入可能部材のみを通して前記体腔から外へ出るように構成され、前記拡張可能部材が前記体腔の開口部内に配置された後にこれを膨張させるための膨張導管を含む拡張可能部材と、
排出物が前記体腔から前記挿入可能部材を通じて前記リザーバに入り、診断の前あるいは診断中に吹き込み装置からのガスが前記リザーバを経由して通り前記体腔に入るように前記挿入可能部材の下端および吹き込み装置の両方に固定されると共に前記挿入可能部材と前記吹き込み装置の間に配置された排出物リザーバと、を含むことを特徴とする器具；または　 
（４）
体腔へのガス媒体の投与を含む医療または診断手続きの間または後に、個人の内部体腔から排出物を集めるための器具において、
底部、上部、後壁および前壁を有するリザーバであって、前記リザーバは、前記リザーバの内部に通じる２以上の開口部を有し、
前記リザーバは、吹き込み装置との接続を形成するための少なくとも１つの接続コンポーネントおよび挿入可能部材との接続を形成するための少なくとも１つの接続コンポーネントを有し、ガスが前記体腔へ投与可能な構造となり、同時に、前記リザーバ内の排出物を収集し、投与されたガスが前記体腔に入る前に前記リザーバの内部を経由して、前記リザーバの中に収集されている排出物とは反対方向に向かって通過するように、前記リザーバは、前記吹き込み装置と前記体腔との間に位置する構成となることを特徴とする
と訂正する。
　
第４　当審の判断
　
１　特許法施行規則に基づく一群の請求項について
　
（１）訂正事項６について
　本件訂正後の特許請求の範囲の請求項６は独立請求項であり、請求項７ないし１２、２３、２４、３１は、その請求項６を引用するものであるから、請求項６ないし１２、２３、２４、３１は、特許法施行規則第４６条の２第４号に規定する関係を有する一群の請求項である。
　したがって、請求項６を訂正する訂正事項６は、一群の請求項である請求項６ないし１２、２３、２４、３１に係る請求であり、特許法第１２６条第３項の規定に適合するものである。
　
（２）訂正事項７について
　本件訂正後の特許請求の範囲の請求項１４は独立請求項であり、請求項１５ないし２２、２８ないし３０、３２は、訂正事項７を含む請求項１４を引用するものであるから、請求項１４ないし２２、２８ないし３０、３２は、特許法施行規則第４６条の２第４号に規定する関係を有する一群の請求項である。
　したがって、請求項１４を訂正する訂正事項７は、一群の請求項である請求項１４ないし２２、２８ないし３０、３２に係る請求であり、特許法第１２６条第３項の規定に適合するものである。
　
（３）訂正事項８について
　本件訂正後の特許請求の範囲の請求項２５は独立請求項であり、請求項２６及び２７は、訂正事項８を含む請求項２５を引用するものであるから、請求項２５ないし２７は、特許法施行規則第４６条の２第４号に規定する関係を有する一群の請求項である。
　したがって、請求項２５を訂正する訂正事項８は、一群の請求項である請求項２５ないし２７に係る請求であり、特許法第１２６条第３項の規定に適合するものである。
　
２　本件訂正の目的の適否，新規事項の追加の有無及び特許請求の範囲の拡張・変更の存否について
　
（１）訂正事項１について
　
ア　訂正の目的の適否について
　
（ア）訂正前の「個人の体腔の開口部から排出物を集めるのに適した器具において、」を、「ＣＴ撮影用の排出物集積器具であって、
　前記排出物集積器具は、二酸化炭素ガス自動吹き込み装置に接続され、個人の体腔の開口部から排出物を集めるのに適した器具であり、」と訂正することは、「排出物を集めるのに適した器具」が「ＣＴ撮影用の排出物集積器具」であることに限定し、さらに、「二酸化炭素ガス自動吹き込み装置に接続され」たものに限定するものであるから、特許請求の範囲の減縮を目的とする訂正に該当するものである。
　
（イ）「ここで、前記体腔の開口部は、肛門括約筋であり、」という記載を挿入することは、「体腔の開口部」を「肛門括約筋」に限定するものであるから、特許請求の範囲の減縮を目的とする訂正に該当するものである。
　
（ウ）訂正前の「底部、上部、後壁および前壁を有すると共に、前記リザーバの内部に通じる２以上の開口部を含むリザーバを備え、」の前に「前記排出物集積器具は、」との記載を挿入することは、「リザーバを備え」るものが「排出物集積器具」であることを明確にするものであり、明瞭ではない記載の釈明を目的する訂正に該当する。
　
（エ）訂正前の「医療または診断機器とのみ」及び「前記医療または診断機器」を「前記二酸化炭素ガス自動吹き込み装置とのみ」及び「前記二酸化炭素ガス自動吹き込み装置」に訂正することは、「医療または診断機器」を「二酸化炭素ガス自動吹き込み装置」に限定するものであるから、特許請求の範囲の減縮を目的とする訂正に該当するものである。
　
（オ）訂正前の「ガス」を「二酸化炭素ガス」に訂正することは、「ガス」の種類を「二酸化炭素ガス」に限定するものであるから、特許請求の範囲の減縮を目的とする訂正に該当するものである。
　
（カ）訂正前の「リザーバを備え」を「排出物リザーバを備え」と訂正することは、「リザーバ」が「排出物リザーバ」であることを限定するものであるから、特許請求の範囲の減縮を目的とする訂正に該当するものである。
　
（キ）訂正前の「前記リザーバの内部に通じる」における「前記」を削除する補正は、独立型式の請求項である請求項１において、当該記載以前に「リザーバ」は存在しないため、「前記」を削除して文章を整えるものであるから、明瞭でない記載の釈明を目的する訂正に該当する。
　
　したがって、訂正事項１は、特許請求の範囲の減縮、及び、明瞭でない記載の釈明を目的とする訂正に該当する。
　
イ　新規事項の追加の有無について
　
（ア）本件特許明細書の【００１２】段には、「本発明は、所望の解剖学的部位の医療または診断処置の実施に関連する使用に適合された排出物リザーバを含」み、その様な処置の一例として「ＣＴ撮影」が記載されている。また、本件特許明細書の【００６５】段には、「本発明の吹込みシステム」は、「ＣＴ結腸検査」を目的としており、「１００ｍＬ排出物集積容器」を含むことが記載されている。
　以上のことから、本件特許明細書には、「排出物集積器具」が「ＣＴ撮影用」であることが記載されているといえる。
　
（イ）本件特許明細書の【００５７】段には、「排出物リザーバ（３３）がチュービング（５２）を通る吹込みガス流れの直接ライン上にある」こと、さらに、【００６１】段には、「チュービング（５２）は、自動ＣＯ2ガス吹込み器に接続される」ことが記載されている。また、本件特許明細書の【００５４】段〜【００５７】段及び【図１４】〜【図１７】には、本発明の「器具５０」が「自動吹き込みユニット（５１）」に接続され、自動吹き込みユニットとして、「ＰＲＯＴＯＣＯ2ＬTM  Ｃｏｌｏｎ  Ｉｎｓｕｆｆｌａｔｏｒ」が使用できることが記載されており、【００６５】段には、「本発明の吹込みシステム」が、「Ｅ−Ｚ−ＥＭ  ＰＲＯＴＯＣＯ2ＬTM  ＡＤＭＩＮＩＳＴＲＡＴＩＯＮ ＳＥＴ、または類似のシステムであり、ＣＴ結腸検査、あるいは結腸膨張を必要とする他のいずれかの診断処置を目的として、膨張媒体としてのＣＯ2を患者の結腸に送り込み、その調整を行うために使用され」、「ＰＲＯＴＯＣＯ2ＬTM  ＡＤＭＩＮＩＳＴＲＡＴＩＯＮ ＳＥＴ」は、「８フィートのビニールチュービングと、２つの風船膨張器と、プラスチックチュービングクランプと、Ｆｌｅｘｉ−Ｃｕｆｆシリコーンエラストマーリテンションカフ付きのＦｌｅｘｉ−Ｔｉｐと、０．１マイクロメータ非疎水性フィルタと、１００ｍＬ排出物集積容器と、ＰＲＯＴＯＣＯ2Ｌ  Ｃｏｌｏｎ  Ｉｎｓｕｆｆｌａｔｏｒへのコネクタとを含む」ことが記載されている。
　以上のことから、本件特許明細書には、「排出物集積器具」が「二酸化炭素ガス自動吹き込み装置に接続され」ることが記載されているといえる。
　
（ウ）本件特許明細書の【００３１】段には、「挿入可能部材は、特に、個人の腔の開口部への挿入に適して」おり、「個人の体腔は、」「括約筋」を含んだ個人の身体の開口部を含むことができることが記載されている。また、【００４４】段には、「挿入可能部材」の「制限手段」が「個人の体腔への開口部（例えば、肛門括約筋）の内部または近くに配置可能であ」ることが記載されている。
　以上のことから、本件特許明細書には、「体腔の開口部」が「肛門括約筋」であることが記載されているといえる。
　
（エ）本件特許明細書の【００１３】段には、「排出物集積器具」は、「体腔の内部を検査するための、例えば内視鏡などの器具を含みかつこれに限定されない、医療または診断処置にて使用される装置と接続する１つまたは複数の手段を備え」ており、「このような装置は、」「吹込み器」、「を含んでもよい。」ことが記載されている。さらに、【００６１】段、【００６４】段、【００６５】段、【００６７】段には、吹き込み装置が二酸化炭素ガス自動吹き込み装置であることが記載されている。
　以上のことから、本件特許明細書には、「医療または診断処置」が「吹き込み器」であってよく、「吹き込み装置」が「二酸化炭素ガス自動吹き込み装置」であり、体腔に導入されるガスが「二酸化炭素ガス」であることが記載されているといえる。
　
（オ）本件特許明細書の【００１５】段〜【００２３】段には、「排出物リザーバ」の説明が記載されており、上記（ア）、（イ）において示したように、【００１２】段や【００５７】段には、本発明が「排出物リザーバ」を含むことが記載されている。
　以上のことから、本件特許明細書には、「リザーバ」が「排出物リザーバ」であることが記載されているといえる。
　
　したがって、訂正事項１は、願書に添付した明細書、特許請求の範囲又は図面に記載した事項の範囲内においてする訂正であり、特許法第１２６条第５項に適合する。
　
ウ　特許請求の範囲の実質上の拡張・変更の存否について
　
　上記アにおいて示したとおり、訂正事項１は、特許請求の範囲の減縮、及び、明瞭ではない記載の釈明を目的とするものであり、また、カテゴリーや対象、目的を変更するものではないから、実質上特許請求の範囲を拡張し、又は変更するものには該当せず、特許法第１２６条第６項の規定に適合するものである。
　
（２）訂正事項２ないし５について
　
ア　訂正の目的の適否について
　
　訂正事項２ないし５は、何れも請求項を削除するものであり、特許請求の範囲の減縮を目的とした訂正に該当する。
　
イ　新規事項の追加の有無について
　
　訂正事項２ないし５は、何れも請求項を削除に伴う特許請求の範囲の減縮であるから、特許法第１２６条第５項に適合することは明らかである。
　
ウ　特許請求の範囲の実質上の拡張・変更の存否について
　
　上記アにおいて示したとおり、訂正事項２ないし５は、何れも請求項を削除するものであり、特許請求の範囲の減縮を目的とするものであるから、特許法第１２６条第６項の規定に適合することは明らかである。
　
（３）訂正事項６について
　
ア　訂正の目的の適否について
　
（ア）訂正前の「診断前あるいは診断中に個人の結腸を膨らませる使用に適した器具において、」を、「ＣＴ撮影用の排出物集積器具であって、
　前記排出物集積器具は、二酸化炭素ガス自動吹き込み装置に接続され、診断前あるいは診断中に個人の結腸を膨らませる使用に適した器具であり、」と訂正することは、「個人の結腸を膨らませる使用に適した器具」が「ＣＴ撮影用の排出物集積器具」であることを限定し、さらに、「二酸化炭素ガス自動吹き込み装置に接続され」たものに限定するものであるから、特許請求の範囲の減縮を目的とする訂正に該当するものである。
　
（イ）訂正前の「（ｉ）近端と末端を有する第１導管と、・・・（ｖ）前記第２の導管に配置された１以上のバリアであって、診断前あるいは診断中に排出物が前記吹き込み装置に接触するのを防ぐのに適したバリアと、を備えることを特徴とする器具。」の前に「前記排出物集積器具は、」との記載を挿入することは、「（ｉ）近端と末端を有する第１導管と、・・・（ｖ）前記第２の導管に配置された１以上のバリアであって、診断前あるいは診断中に排出物が前記吹き込み装置に接触するのを防ぐのに適したバリアと、を備える」ものが「排出物集積器具」であることを明確にするものであり、明瞭でない記載の釈明を目的する訂正に該当する。
　
（ウ）訂正前の「吹込み装置」及び「前記吹込み装置」を、「二酸化炭素ガス自動吹き込み装置」及び「前記二酸化炭素ガス自動吹き込み装置」に訂正することは、「吹込み装置」を「二酸化炭素ガス自動吹き込み装置」に限定するものであるから、特許請求の範囲の減縮を目的とする訂正に該当するものである。
　
（エ）訂正前の「ガス」を「二酸化炭素ガス」に訂正することは、「ガス」の種類を「二酸化炭素ガス」に限定するものであるから、特許請求の範囲の減縮を目的とする訂正に該当するものである。
　
　したがって、訂正事項６は、特許請求の範囲の減縮、及び、明瞭でない記載の釈明を目的とする訂正に該当する。
　
イ　新規事項の追加の有無について
　
（ア）「ＣＴ撮影用の排出物集積器具」と訂正する点については、（１）イ（ア）に示したとおりである。
　
（イ）「排出物集積器具」が「二酸化炭素ガス自動吹き込み装置に接続され」る点については、（１）イ（イ）に示したとおりである。
　
（ウ）「吹込み装置」を「二酸化炭素ガス自動吹き込み装置」に訂正する点、及び、「ガス」を「二酸化炭素ガス」に訂正する点については、（１）イ（エ）に示したとおりである。
　
　したがって、訂正事項６は、願書に添付した明細書、特許請求の範囲又は図面に記載した事項の範囲内においてする訂正であり、特許法第１２６条第５項に適合する。
　
ウ　特許請求の範囲の実質上の拡張・変更の存否について
　
　上記アにおいて示したとおり、訂正事項６は、特許請求の範囲の減縮、及び、明瞭でない記載の釈明を目的とするものであり、カテゴリーや対象、目的を変更するものではないから、実質上特許請求の範囲を拡張し、又は変更するものには該当せず、特許法第１２６条第６項の規定に適合するものである。
　
（４）訂正事項７について
　
ア　訂正の目的の適否について
　
（ア）訂正前の「体腔へのガス媒体の投与を含む医療または診断手続きの間または後に、個人の内部体腔から排出物を集めるための器具において、」を、「ＣＴ撮影用の排出物集積器具であって、
　前記排出物集積器具は、二酸化炭素ガス自動吹き込み装置に接続され、
　前記排出物集積器具は、体腔への二酸化炭素ガス媒体の投与を含むＣＴ撮影の間または後に、個人の内部体腔から体腔の開口部を通して排出物を集めるための器具であり、」と訂正することは、「個人の内部体腔から排出物を集めるための器具」が「ＣＴ撮影用の排出物集積器具」であることを限定し、さらに、「二酸化炭素ガス自動吹き込み装置に接続され」たものに限定するものであるから、特許請求の範囲の減縮を目的とする訂正に該当するものである。
　
（イ）「ここで、前記体腔の開口部は、肛門括約筋であり、」という記載を挿入することは、「体腔の開口部」を「肛門括約筋」にさらに限定するものであるから、特許請求の範囲の減縮を目的とする訂正に該当するものである。
　
（ウ）訂正前の「リザーバ」を、「搬出物リザーバ」に訂正することは、「リザーバ」が「排出物リザーバ」であることを限定するものであるから、特許請求の範囲の減縮を目的とする訂正に該当するものである。
　
（エ）「底部、上部、後壁および前壁を有する搬出物リザーバを備え、」の前に「前記排出物集積器具は、」を挿入する訂正は、「排出物リザーバを備え」るのが「排出物集積器具」であることを明確にするものであり、明瞭でない記載の釈明を目的する訂正に該当する。
　
（オ）訂正前の「前記リザーバは、前記リザーバの内部に通じる２以上の開口部を有し、」の前で改行する訂正は、長い文章を改行することにより文章を整えるものであり、明瞭ではない記載の釈明を目的する訂正に該当する。
　
（カ）訂正前の「吹込み装置」及び「前記吹込み装置」を、「二酸化炭素ガス自動吹き込み装置」及び「前記二酸化炭素ガス自動吹き込み装置」に訂正することは、「吹込み装置」を「二酸化炭素ガス自動吹き込み装置」に限定するものであるから、特許請求の範囲の減縮を目的とする訂正に該当するものである。
　
（キ）訂正前の「ガス」を「二酸化炭素ガス」に訂正することは、「ガス」の種類を「二酸化炭素ガス」に限定するものであるから、特許請求の範囲の減縮を目的とする訂正に該当するものである。
　
（ク）訂正前の「投与されたガスが前記体腔に入る前に前記リザーバの内部を経由して、」を「投与される二酸化炭素ガスが前記体腔に入る前に前記リザーバの内部を経由して、」に訂正することは、体腔に入る前のガスが「投与される」ものであることを明確にするものであり、明瞭でない記載の釈明を目的する訂正に該当する。
　
　したがって、訂正事項７は、特許請求の範囲の減縮、及び、明瞭でない記載の釈明を目的とする訂正に該当する。
　
イ　新規事項の追加の有無について
　
（ア）「ＣＴ撮影用の排出物集積器具」と訂正する点については、（１）イ（ア）に示したとおりである。
　
（イ）「排出物集積器具」が「二酸化炭素ガス自動吹き込み装置に接続され」る点については、（１）イ（イ）に示したとおりである。
　
（ウ）「体腔の開口部」を「肛門括約筋」と訂正する点については、（１）イ（ウ）に示したとおりである。
　
（エ）「リザーバ」を「排出物リザーバ」と訂正する点については、（１）イ（オ）に示したとおりである。
　
（オ）「吹込み装置」を「二酸化炭素ガス自動吹き込み装置」に訂正する点、及び、「ガス」を「二酸化炭素ガス」に訂正する点については、（１）イ（エ）に示したとおりである。
　
（カ）「投与されたガス」を「投与される二酸化炭素ガス」と訂正する点について、本件特許明細書の【００５７】段には、「排出物リザーバ（３３）がチュービング（５２）を通る吹込みガス流れの直接ライン上にあ」って、「排出された大便が排出物リザーバ（３３）内にある状態で、空電空式吹込み器または手動吹込み器からのガスが、チュービング（５２）を通って自由に患者に移動することができ」ることが記載されており、吹込み器からのガスが、排出物リザーバがある吹込みガス流れの直接ラインを通って患者に投与されることが記載されているものと認められる。
　
　したがって、訂正事項７は、願書に添付した明細書、特許請求の範囲又は図面に記載した事項の範囲内の訂正であり、特許法第１２６条第５項に適合する。
　
ウ　特許請求の範囲の実質上の拡張・変更の存否について
　
　上記アにおいて示したとおり、訂正事項７は、特許請求の範囲の減縮、及び、明瞭でない記載の釈明を目的とするものであり、カテゴリーや対象、目的を変更するものではないから、実質上特許請求の範囲を拡張し、又は変更するものには該当せず、特許法第１２６条第６項の規定に適合するものである。
　
（５）訂正事項８について
　
ア　訂正の目的の適否について
　
（ア）訂正前の「医療または診断機器として連動して使用するための器具において、」を、「ＣＴ撮影用の排出物集積器具であって、
  前記排出物集積器具は、二酸化炭素ガス自動吹き込み装置と連動して使用するための器具であり、
　前記排出物集積器具は、体腔から前記体腔の開口部を通して排出物を集めるための器具であり、」と訂正することは、「器具」が「ＣＴ撮影用の排出物集積器具」であり、「医療または診断機器」が「二酸化炭素ガス自動吹き込み装置」であることを限定し、さらに、「排出物集積器具」が「体腔から前記体腔の開口部を通して排出物を集める」ことを限定するものであるから、特許請求の範囲の減縮を目的とする訂正に該当するものである。
　
（イ）「ここで、前記体腔の開口部は、肛門括約筋であり、」という記載を挿入することは、「体腔の開口部」を「肛門括約筋」に限定するものであるから、特許請求の範囲の減縮を目的とする訂正に該当するものである。
　
（ウ）訂正前の「近端と末端を有する第１導管と、前部と後部を有する単一ルーメン挿入可能部材とを備え、」及び「前記挿入可能部材の後部は、前記第１導管の近端に配置され、前記前部は、体腔開口部に挿入可能であり、前記挿入可能部材の前記後部の近くに配置されたクランプと、前記体腔からの排出物を集めるための排出物リザーバと、近端および末端を有し、その面に配置される少なくとも１つの疎水性のバリアを有する第２導管と、ガスを投与するのに適した医療または診断機器に前記第２導管の前記末端を接続するための少なくとも１つの接続コンポーネント、および前記リザーバに前記第２導管の前記近端を接続するための少なくとも１つの接続コンポーネントとを備え、」の前に「前記排出物集積器具は、」との記載を挿入することは、「単一ルーメン挿入可能部材」及び「接続コンポーネント」を備えているものが「排出物集積器具」であることを明確にするものであり、明瞭でない記載の釈明を目的する訂正に該当する。
　
（エ）「前部と後部を有する単一ルーメン挿入可能部材とを備え、」と「前記挿入可能部材の後部は、」の間に「ここで、」を挿入する訂正、「および前記リザーバに前記第２導管の前記近端を接続するための少なくとも１つの接続コンポーネントとを備え、」の「および」と「前記リザーバ」の間に読点を挿入する訂正は、それぞれ、文章の区切り、つながりを明瞭にするものであって、明瞭でない記載の釈明を目的とするものである。
　
（オ）訂正前の「前記吹込み装置」を、「前記二酸化炭素ガス自動吹き込み装置」に訂正することは、「吹込み装置」を「二酸化炭素ガス自動吹き込み装置」に限定するものであるから、特許請求の範囲の減縮を目的とする訂正に該当するものである。
　
（カ）訂正前の「ガス」を「二酸化炭素ガス」に訂正することは、「ガス」の種類を「二酸化炭素ガス」に限定するものであるから、特許請求の範囲の減縮を目的とする訂正に該当するものである。
　
　したがって、訂正事項８は、特許請求の範囲の減縮、誤記の訂正、及び、明瞭でない記載の釈明を目的とする訂正に該当する。
　
イ　新規事項の追加の有無について
　
（ア）「ＣＴ撮影用の排出物集積器具」と訂正する点については、（１）イ（ア）に示したとおりである。
　
（イ）「排出物集積器具」が「二酸化炭素ガス自動吹き込み装置と連動して使用するための器具」である点については、（１）イ（イ）に示したとおりである。
　
（ウ）「排出物集積器具」が「体腔から前記体腔の開口部を通して排出物を集め」、「前記体腔の開口部」が「肛門括約筋」である点については、（１）イ（ウ）に示したとおりである。
　
（エ）「医療または診断機器として連動して」を「二酸化炭素ガス自動吹き込み装置と連動して」とする訂正について、本件特許明細書の【０００９】段には、「吹込み機構と連動して使用するための、」と記載されている。
　
（オ）「吹込み装置」を「二酸化炭素ガス自動吹き込み装置」に訂正する点、及び、「ガス」を「二酸化炭素ガス」に訂正する点については、（１）イ（エ）に示したとおりである。
　
　したがって、訂正事項８は、願書に添付した明細書、特許請求の範囲又は図面に記載した事項の範囲内の訂正であり、特許法第１２６条第５項に適合する。
　
ウ　特許請求の範囲の実質上の拡張・変更の存否について
　
　上記アにおいて示したとおり、訂正事項８は、特許請求の範囲の減縮、誤記の訂正、及び、明瞭でない記載の釈明を目的とするものであり、カテゴリーや対象、目的を変更するものではないから、実質上特許請求の範囲を拡張し、又は変更するものには該当せず、特許法第１２６条第６項の規定に適合するものである。
　
（６）訂正事項９について
　
ア　訂正の目的の適否について
　
（ア）「自動または手動吹き込みユニットと共に使用するためのキットにおいて、」を「ＣＴ撮影用の排出物集積のためのキットであって、前記キットは、二酸化炭素ガス自動吹き込みユニットと共に使用するためのキットであり、」と訂正することは、「キット」が「ＣＴ撮影用の排出物集積のためのキット」であり、さらに、「自動または手動吹き込みユニット」が「二酸化炭素ガス自動吹き込みユニット」であることを限定するものであるから、特許請求の範囲の減縮を目的とする訂正に該当するものである。
　
（イ）「前記吹き込みユニット」を「前記二酸化炭素ガス自動吹き込みユニット」に訂正することは、「吹き込みユニット」を「二酸化炭素ガス自動吹き込みユニット」に限定するものであるから、特許請求の範囲の減縮を目的とする訂正に該当するものである。
　
（ウ）「自動吹き込みユニット」を「前記二酸化炭素ガス自動吹き込みユニット」に訂正することは、「自動吹き込みユニット」を「二酸化炭素ガス自動吹き込みユニット」に限定するものであるから、特許請求の範囲の減縮を目的とする訂正に該当するものである。
　
（エ）「０．１マクロメートル疎水性フィルタ」を「０．１マイクロメートル疎水性フィルタ」とする訂正は、誤記の訂正を目的とする訂正に該当する。
　
　したがって、訂正事項９は、特許請求の範囲の減縮、及び、誤記の訂正を目的とする訂正に該当する。
　
イ　新規事項の追加の有無について
　
（ア）「ＣＴ撮影用の排出物集積のためのキット」と訂正する点については、（１）イ（ア）に示したとおりである。
　
（イ）「吹き込みユニット」及び「自動吹き込みユニット」を「二酸化炭素ガス自動吹き込みユニット」に訂正する点、及び、「ガス」を「二酸化炭素ガス」に訂正する点については、（１）イ（エ）に示したとおりである。
　
（ウ）「０．１マクロメートル疎水性フィルタ」を「０．１マイクロメートル疎水性フィルタ」とする訂正は誤記の訂正を目的とするものであって、本件特許明細書に記載した範囲内でするものであることは明らかである。
　
　したがって、訂正事項９は、願書に添付した明細書、特許請求の範囲又は図面に記載した事項の範囲内の訂正であり、特許法第１２６条第５項に適合する。
　
ウ　特許請求の範囲の実質上の拡張・変更の存否について
　
　上記アにおいて示したとおり、訂正事項９は、特許請求の範囲の減縮、及び、誤記の訂正を目的とするものであり、カテゴリーや対象、目的を変更するものではないから、実質上特許請求の範囲を拡張し、又は変更するものには該当せず、特許法第１２６条第６項の規定に適合するものである。
　
（７）訂正事項１０について
　
ア　訂正の目的の適否について
　
　訂正前の請求項３４が請求項１、請求項６及び請求項１４を引用するものであったところ、請求項間の引用関係を解消し、請求項１、請求項６及び請求項１４を引用しない形式に改めるための訂正であるから、特許法第１２６条第１項ただし書第４号に掲げる「他の請求項の記載を引用する請求項の記載を当該他の請求項の記載を引用しないものとすること」を目的とする訂正に該当する。
　
イ　新規事項の追加の有無について
　
　訂正事項１０は、請求項３４を、請求項１、請求項６及び請求項１４を引用しない形式に改めるための訂正である。
　したがって、訂正事項１０は、願書に添付した明細書、特許請求の範囲又は図面に記載した事項の範囲内においてするものであり、特許法第１２６条第５項の規定に適合するものである。
　
ウ　特許請求の範囲の実質上の拡張・変更の存否について
　
　上記アにおいて示したとおり、請求項３４を、請求項１、請求項６及び請求項１４を引用しない形式に改めるための訂正であり、カテゴリーや対象、目的を変更するものではないから、実質上特許請求の範囲を拡張し、又は変更するものには該当せず、特許法第１２６条第６項の規定に適合するものである。
　
（７）訂正事項１１について
　
ア　訂正の目的の適否について
　
　訂正前の請求項３５が請求項１、請求項６及び請求項１４を引用するものであったところ、請求項間の引用関係を解消し、請求項１、請求項６及び請求項１４を引用しない形式に改めるための訂正であるから、特許法第１２６条第１項ただし書第４号に掲げる「他の請求項の記載を引用する請求項の記載を当該他の請求項の記載を引用しないものとすること」を目的とする訂正に該当する。
　
イ　新規事項の追加の有無について
　
　訂正事項１１は、請求項３５を、請求項１、請求項６及び請求項１４を引用しない形式に改めるための訂正である。
　したがって、訂正事項１１は、願書に添付した明細書、特許請求の範囲又は図面に記載した事項の範囲内においてするものであり、特許法第１２６条第５項の規定に適合するものである。
　
ウ　特許請求の範囲の実質上の拡張・変更の存否について
　
　上記アにおいて示したとおり、請求項３５を、請求項１、請求項６及び請求項１４を引用しない形式に改めるための訂正であり、カテゴリーや対象、目的を変更するものではないから、実質上特許請求の範囲を拡張し、又は変更するものには該当せず、特許法第１２６条第６項の規定に適合するものである。
　
３　独立特許要件について
　
　特許請求の範囲の減縮、及び、誤記の訂正を目的とした訂正事項１ないし９に係る訂正後の特許請求の範囲の請求項１ないし１２及び請求項１４ないし３３に係る発明は、拒絶すべき理由を有しないとして特許された訂正前の特許発明を減縮、誤記の訂正、及び、不明瞭な記載の釈明を行ったものであるから、特許出願の際独立して特許を受けることができない発明ではないことは明らかであり、特許法１２６条第７項の規定に適合するものである。
　
第５　むすび
　
　以上のとおり、本件訂正審判請求の訂正事項１ないし１１は、特許法第１２６条第１項ただし書第１号ないし第４号に掲げる事項を目的とし、かつ、同条第３項及び第５項ないし第７項の規定に適合するものである。
　
　よって、結論のとおり審決する。